(57)【要約】      （修正有）【課題】パイル面に描出された図柄模様がタイルカーペットの寸法Ｑよりも長く連続している柄物カーペットをタイルカーペットに調製し、隣り合うタイルカーペット間にＶ溝２３が発生せず、その柄物カーペットの連続した図柄模様１８がそのままタイルカーペットの施工面に再現することが出来るようにし、長大な広幅であるが故に生じている柄物カーペットの梱包、運搬、施工、収納、保管等々の取扱上の課題を解消する。【解決手段】広幅柄物カーペットの裁断時にカッター１９の刃先２０を裏打層１５に向け、その刃先２０が、裏打層１５に食い込み、且つ、パイルの先端３０を越えることなく、基布１３に達するまで、刃先２０を基布１３に垂直に向けて押圧して１３を裁断し、向き合う一辺１１に沿って続くパイル３１と他辺１２に沿って続くパイル３２を同じパイル長にする。【選択図】図１
0003130283.tif 000002
【実用新案登録請求の範囲】
【請求項１】
（ａ）  基布（１３）からカットパイルが起立したパイル地（１４）の裏面に厚さ１ｍｍ以上の裏打層（１５）を積層し、一辺が１００ｃｍ以下となる所要の寸法（Ｑ）の正方形に裁断して成るタイルカーペット（１６）において、
（ｂ）  全てのパイルが同じ方向に傾く方向性を帯びており、
（ｃ）  向き合う一辺（１１・２１）に沿って続くパイル（３１）の長さと他辺（１２・２２）に沿って続くパイル（３２）の長さが同じであるタイルカーペット。
【請求項２】
（ｄ）  向き合う二辺中の一辺（１１・２１）に沿って続くパイル（３１）がタイルカーペットの外側に傾斜しており、その一辺（１１・２１）のパイルの先端（３０）がタイルカーペットの外側に突き出ており、
（ｅ）  その一辺（１１・２１）に向き合う他辺（１２・２２）のパイル（３２）の先端（３０）がタイルカーペットの内側に傾斜しており、その他辺（１２・２２）のパイルの先端（３２）がタイルカーペットの内側に入り込んでいる前掲請求項１に記載のタイルカーペット。
【請求項３】
（ｆ）  パイル面（１７）にタイルカーペットの縦横寸法（Ｑ）よりもレピート寸法（Ｌ）の長い図柄模様（１８）が描出されている前掲請求項１と２の何れかに記載のタイルカーペット。
【考案の詳細な説明】
【技術分野】
【０００１】
本考案は、基布からカットパイルが起立したパイル地の裏面に厚さ１ｍｍ以上の裏打層を積層し、一辺が１００ｃｍ以下となる所要の寸法の正方形に裁断して成るタイルカーペット、特に、パイル面に図柄模様の描出されたタイルカーペットに関するものである。
【背景技術】
【０００２】
タイルカーペット２６は、パイル３０を上向きにして基盤の上に載せた広幅カーペット２７のパイル面１７に、押圧盤２５の底面に突設したカッター１９を当てて裁断して製造される（図３）。
【０００３】
その場合、全てのパイル３１・３２は、正確には、基布１３から垂直に起立しておらず、一定方向に僅かながらも傾く方向性を帯びており、カッター１９に押圧された際には、その一定方向に傾倒し、その傾倒して圧縮された状態で裁断される。このため、向き合う一辺の裁断口におけるパイル３１は、先端部分３３と根元部分３４とに裁断されることになり、その根元部分３４から切り離された先端部分３３は、裁断屑となって除去されることになる。その結果、タイルカーペット２６の向き合う少なくとも二辺１１・１２の中の一辺１１では、先端部分３３が切り離されて残る根元部分３４のパイル繊維の断面が現われ、その一辺１１におけるパイル３１の長さは極短く、そのパイル繊維の断面が現われる一辺１１からタイルカーペットの内側に進むにつれて漸次パイル長が長くなり、その一辺からカーペットの設定されたパイル長（標準パイル長Ｐ）と略同じ距離Ｍだけ内側に進んだ部分から標準パイル長Ｐとなる。
【０００４】
他方、そのパイル長が極短くパイル繊維の断面が現われる一辺１１に向き合う他辺１２では、タイルカーペットの内側に僅かながらも傾いた標準パイル長Ｐのパイル３２だけが残ることになり、その傾いた標準パイル長Ｐのパイル３２による斜面２４が出来る。
【０００５】
このように、向き合う二辺の中の一辺１２が内側に傾いたパイルの斜面２４となることは、鋏を使用して広幅カーペット２７を裁断した場合も同様である。従って、裁断された複数枚のタイルカーペットを、その裁断時に隣り合っていた通り、そのまま突き合わせて敷き詰めると、その裁断時にパイルの先端部分３３が裁断屑となって除去された一辺１１は、タイルカーペット２６の施工面にＶ溝２３となって一直線状に連続して現われることになり、裁断前の広幅カーペット２７を拡布した場合のように平滑なパイル面１７は、タイルカーペット２６の施工面に再現されない（図４）。
【０００６】
そのような不都合を解消するために、タイルカーペット２は、隣り合うタイルカーペットの縦横の方向を９０度変え、パイルの傾く方向性によって僅かながらも濃淡異なるパイル面１７の色調の差異によって施工面に市松模様を描出し（例えば、特許文献１参照）、その市松模様によってＶ溝２３が目立たなくなるように施工される（図５）。
【０００７】
【特許文献１】特開２００３−０９６６５４号公報
【考案の開示】
【考案が解決しようとする課題】
【０００８】
タイルカーペットの利点は、広い床面の施工に必要なカーペットを、長大な広幅カーペットとしてではなく、それを施工する建築工事現場に搬入し易く、収納・保管し易い一辺が１００ｃｍ以下の正方形に裁断し、そうすることによって、エレベーターを使ってカーペットを持ち運び出来ないとか、納戸（クローゼット）に収納出来ないとか、コンパクトに梱包出来ない等々、広幅カーペットを取り扱う上で生じていた不都合が解消される点にある。
【０００９】
９０度方向を変えるタイルカーペットの施工法は、無模様一色のタイルカーペットには採用されるが、タイルカーペットの縦横寸法Ｑよりも長いレピートＬの図柄模様がパイル面に描出された柄物カーペットを裁断した柄物タイルカーペットには採用することは出来ない。何故なら、裁断時に隣り合う柄物タイルカーペットの縦横の方向を９０度変えたのでは、裁断前の図柄模様が隣り合うタイルカーペットの間で分断されて不連続になり、裁断前の柄物カーペットの図柄模様が、タイルカーペットの施工面に再現されなくなるからである。
【００１０】
このような訳で、レピートＬの長い図柄模様がパイル面に描出された柄物カーペットは、タイルカーペットには採用されない。このため、柄物カーペットでは、それが長大な広幅であるが故に生じる梱包、運搬、施工、収納、保管等々、その取扱上の課題は未解決のままになっており、柄物カーペットを使用した柄物タイルカーペットに対する潜在的需要は多大であるが、その需要に応えられないのが実情である。
【００１１】
そこで本考案は、パイル面に描出された図柄模様がタイルカーペットの寸法Ｑよりも長く連続している柄物カーペットをタイルカーペットに調製して施工した場合に、隣り合うタイルカーペット間にＶ溝２３が発生せず、その柄物カーペットの連続した図柄模様１８がそのままタイルカーペットの施工面に再現することが出来るようにし、以て、長大な広幅であるが故に生じている柄物カーペットの梱包、運搬、施工、収納、保管等々の取扱上の課題を解消することを目的とする。
【課題を解決するための手段】
【００１２】
本考案に係るタイルカーペット１６は、（ａ）  基布１３からカットパイルが起立したパイル地１４の裏面に厚さ１ｍｍ以上の裏打層１５を積層し、一辺が１００ｃｍ以下となる所要の寸法Ｑの正方形に裁断して成るタイルカーペット１６において、（ｂ）  全てのパイルが同じ方向に傾く方向性を帯びており、（ｃ）  向き合う一辺１１（２１）に沿って続くパイル３１の長さと他辺１２（２２）に沿って続くパイル３２の長さが同じであることを第１の特徴とする。
【００１３】
本考案に係るタイルカーペット１６の第２の特徴は、上記第１の特徴に加えて、（ｄ）  向き合う二辺中の一辺１１（２１）に沿って続くパイル３１がタイルカーペットの外側に傾斜しており、その一辺１１（２１）のパイルの先端３０がタイルカーペットの外側に突き出ており、（ｅ）  その一辺１１（２１）に向き合う他辺１２（２２）のパイル３２の先端３０がタイルカーペットの内側に傾斜しており、その他辺１２（２２）のパイルの先端３２がタイルカーペットの内側に入り込んでいる点にある。
【００１４】
本考案に係るタイルカーペット１６の第３の特徴は、上記第１と第２の何れかの特徴に加えて、（ｆ）  パイル面１７にタイルカーペットの縦横寸法Ｑよりもレピート寸法Ｌの長い図柄模様１８が描出されている点にある。
【考案の効果】
【００１５】
本考案のタイルカーペット１６は、向き合う二辺中の一辺１１（２１）に沿って続くパイル３１がタイルカーペットの外側に傾斜しており、その一辺１１（２１）のパイルの先端３０がタイルカーペットの外側に突き出ているものの、その一辺１１（２１）に向き合う他辺１２（２２）のパイル３２の先端３０がタイルカーペットの内側に傾斜しており、その他辺１２（２２）のパイルの先端３２がタイルカーペットの内側に入り込んでおり、且つ、その向き合う一辺１１（２１）に沿って続くパイル３１の長さと他辺１２（２２）に沿って続くパイル３２の長さが同じになっているので、隣り合うタイルカーペット間にＶ溝２３が現われることなく施工することが出来、従って、柄物カーペットを裁断して成るタイルカーペットでも、その施工面に柄物カーペットの長大な連続図柄模様１８を再現することが出来（図２）、柄物カーペットを使用した柄物タイルカーペットに対する潜在的需要に応えることが出来る。
【００１６】
従って本考案によると、広幅柄物カーペットをタイルカーペットに調製することが出来、そうすることによって広幅柄物カーペットが梱包し難いとか、エレベーターを使って持ち運べないとか、納戸（クローゼット）に収納出来ない等々、広幅柄物カーペットを取り扱う上で生じていた不都合が解消される。
【考案を実施するための最良の形態】
【００１７】
パイル地１４には、タフテッドカーペット地とウイルトンカーペット地の双方を使用することが出来る。
長大な連続図柄模様１８は、タフテッドカーペット地では特公平０６−０３５７０１号に記載の加重方式によって、ウイルトンカーペット地ではジヤカード方式によってパイル面に描出することが出来る。
捺染による連続図柄模様１８の描出方式は、タフテッドカーペット地とウイルトンカーペット地の双方に適用することが出来る。
【００１８】
裏打層１５は、樹脂組成物をパイル地の裏面に厚く塗布し、或いは、厚手の織布や不織布、発泡樹脂地等をパイル地裏面に貼り合わせて積層される。パイル地１４の裏面には、カットパイル（３１・３２）を基布１３に接着固定するために、裏打ち用接着剤を塗布しておくことも出来る。厚手の織布や不織布、発泡樹脂地等は、その塗布した裏打ち用接着剤を介してパイル地の裏面に接着積層することも出来る。タイルカーペット１６の裏面（裏打層１５の外面）には、床面に固定するための粘着剤を塗着しておくことも出来る。
【００１９】
タイルカーペット１６の向き合う二辺中の一辺１１（２１）に沿って続くパイル３１がタイルカーペットの外側に傾斜し、そのパイルの先端３０がタイルカーペットの外側に突出し、その一辺１１（２１）に向き合う他辺１２（２２）のパイル３２の先端３０がタイルカーペットの内側に傾斜し、その他辺１２（２２）のパイルの先端３２がタイルカーペットの内側に入り込むようにするには、従来広幅カーペットの裁断時に上向きにしたパイル面にカッターの刃先を当てていたのを、裏打層１５を上向きにししてその表面にカッターの刃先を当て、刃先が裏打層に食い込んで基布１３に達するまで押圧し、そのまま真っ直ぐ刃先を移動して裏打層と基布だけを切創する。
或いは、従来広幅カーペットの裁断時にカッターの刃先をパイル面に当てていたのを裏打層１５に当て、その刃先２０が裏打層１５に食い込んで基布１３に達するまで押圧し、裏打層１５と基布１３だけを切断し、パイル地１４からタイルカーペット１６を切り出す（図１）。
【００２０】
本考案が、カットパイルを要件とし、ループパイルが基布から起立したパイル地を適宜範囲から除外している理由は、ループパイルでは、そのように裏打層１５と基布１３だけを切断しても、ループパイルを構成しているパイル糸を切断しなければ、パイル地１４を裁断したことにならないからである。
【図面の簡単な説明】
【００２１】
【図１】本考案に係るタイルカーペットの製造工程における断面側面図である。
【図２】本考案に係るタイルカーペットの施工面の斜視図である。
【図３】従来のタイルカーペットの製造工程における断面側面図である。
【図４】従来のタイルカーペットの断面側面図である。
【図５】従来のタイルカーペットの施工面の斜視図である。
【符号の説明】
【００２２】
１１：一辺
１２：一辺
１３：基布
１４：パイル地
１５：裏打層
１６：タイルカーペット
１７：パイル面
１８：図柄模様
１９：カッター
２０：刃先
２１：一辺
２２：一辺
２３：Ｖ溝
２４：斜面
２５：押圧盤
２６：タイルカーペット
２７：広幅柄物カーペット
２９：パイル層
３０：パイルの先端
３１：パイル
３２：パイル
３３：先端部分
３４：根元部分
Ｍ：距離
Ｐ：パイル長
Ｑ：縦横寸法
Ｌ：レピート寸法
【図１】
0003130283.tif 000003
【図２】
0003130283.tif 000004
【図３】
0003130283.tif 000005
【図４】
0003130283.tif 000006
【図５】
0003130283.tif 000007